(57)【要約】【課題】  画像検査プログラムを制作するにあたって、その制作が容易となる画像検査方法、そのプログラム、およびそのプログラムを記録した記録媒体を提供することにある。【解決手段】画像検査方法は、遊技機用表示装置を構成する制御部が、画像の検査を開始する旨の制御指令を入力する入力ステップＳ５と、検査用画像情報を検査プログラム記憶部から読み出す画像情報読出ステップＳ６，Ｓ７と、検査用画像情報に基づく検査用画像を表示部に表示させる表示ステップＳ８，Ｓ９とを実行する。【選択図】 図８
2006167092.tif 000002
【特許請求の範囲】
【請求項１】
所定の画像を表示する表示部と、遊技用画像情報を記憶する遊技用画像情報記憶部と、前記表示部に前記遊技用画像情報に基づく遊技用画像を表示させる制御部とを備えた遊技機用表示装置の画像検査方法であって、
前記遊技機用表示装置は、前記表示部に表示される遊技用画像を検査するための画像検査プログラムを記憶する検査プログラム記憶部を備え、
前記検査プログラム記憶部は、前記画像検査プログラムの他、前記表示部に表示される遊技用画像を検査するための検査用画像情報を記憶し、
前記制御部が、
画像の検査を開始する旨の制御指令を入力する入力ステップと、
前記検査用画像情報を前記検査プログラム記憶部から読み出す画像情報読出ステップと、
前記検査用画像情報に基づく検査用画像を前記表示部に表示させる表示ステップとを実行することを特徴とする画像検査方法。
【請求項２】
請求項１に記載の画像検査方法において、
前記検査用画像情報は、前記検査用画像の画素数を縮小した縮小画像情報で構成され、
前記表示ステップは、前記制御部が、前記縮小画像情報を拡大処理して前記検査用画像を前記表示部に表示させることを特徴とする画像検査方法。
【請求項３】
所定の画像を表示する表示部と、遊技用画像情報を記憶する遊技用画像情報記憶部と、前記表示部に前記遊技用画像情報に基づく遊技用画像を表示させる制御部とを備えた遊技機用表示装置の画像検査プログラムであって、
請求項１または請求項２に記載の画像検査方法を前記遊技機用表示装置の前記制御部に実行させることを特徴とする画像検査プログラム。
【請求項４】
請求項３に記載の画像検査プログラムがコンピュータに読取可能に記録されていることを特徴とする画像検査プログラムを記録した記録媒体。
【発明の詳細な説明】
【技術分野】
【０００１】
本発明は、画像検査方法、そのプログラム、およびそのプログラムを記録する記録媒体に関する。
【背景技術】
【０００２】
従来、パチンコ機等の遊技機において、遊技機全体を制御する主制御部と、主制御部からの制御コマンドに応じて表示部に所定の画像を表示させる表示制御部と、絵柄等の種々の遊技用画像情報を記憶するＲＯＭ（以下、表示用メモリと記載する）等を備えた構成が知られている（例えば、特許文献１参照）。
この特許文献１に記載の遊技機では、主制御部からの制御コマンドに応じて、表示制御部が、表示用メモリから所定の遊技用画像情報を読出し、左リール、右リールおよび中央リールの３つのリールを表示部に表示させるとともに、所定の入賞口に対する打球の入賞に連動して各リールの絵柄を変動表示させる。
近年では、表示部に表示される遊技用画像において、絵柄の種類や動きのみならず、背景画像や色を様々に変化させたり、任意のキャラクタ画像を出現させたりする異なる演出パターンで表示することで、遊技者における遊技機に対する興味を高めている。
【０００３】
ところで、このような遊技機では、上述した各種演出パターンでの遊技用画像の表示を効果的に実施するために、表示部に表示される遊技用画像における背景画像や表示絵柄の表示色に色飛びや色変化が生じていないか否かを検査する必要がある。
そして、上述したような表示部に表示される遊技用画像の表示色を検査する画像検査方法としては、例えば、以下のように実施することが考えられる。
先ず、遊技用画像における表示色の検査用画像（例えば、カラーバー等）を表示部に表示させるための画像検査プログラムを記憶する検査プログラムメモリを遊技機に配設する。また、上記検査用画像に関する検査用画像情報も遊技用画像情報と併せて表示用メモリに記憶するのが一般的である。そして、主制御部からの検査開始コマンドに応じて、表示制御部が、上記検査プログラムメモリに記憶された画像検査プログラムにしたがって、上記表示用メモリに記憶された検査用画像情報を読み出し、検査用画像情報に基づく検査用画像を表示部に表示させる。作業者は、表示部に表示された検査用画像を例えば目視にて確認することで、表示部に表示される遊技用画像における背景画像や表示絵柄の表示色に色飛びや色変化が生じるか否かを検査する。
【０００４】
【特許文献１】特開２００４−８１８１６号公報
【発明の開示】
【発明が解決しようとする課題】
【０００５】
しかしながら、上述したような画像検査方法では、表示用メモリに検査用画像情報が記憶されているので、表示用メモリに記憶された種々の遊技用画像情報を変更した場合には、表示用メモリに記憶された検査用画像情報の格納アドレスも変更されてしまい、画像検査プログラムを修正する必要が生じる。
このため、画像検査プログラムを制作するにあたって、その制作が煩雑化してしまう、という問題がある。
【０００６】
本発明の目的は、画像検査プログラムを制作するにあたって、その制作が容易となる画像検査方法、そのプログラム、およびそのプログラムを記録した記録媒体を提供することにある。
【課題を解決するための手段】
【０００７】
本発明の画像検査方法は、所定の画像を表示する表示部と、遊技用画像情報を記憶する遊技用画像情報記憶部と、前記表示部に前記遊技用画像情報に基づく遊技用画像を表示させる制御部とを備えた遊技機用表示装置の画像検査方法であって、前記遊技機用表示装置は、前記表示部に表示される遊技用画像を検査するための画像検査プログラムを記憶する検査プログラム記憶部を備え、前記検査プログラム記憶部は、前記画像検査プログラムの他、前記表示部に表示される遊技用画像を検査するための検査用画像情報を記憶し、前記制御部が、画像の検査を開始する旨の制御指令を入力する入力ステップと、前記検査用画像情報を前記検査プログラム記憶部から読み出す画像情報読出ステップと、前記検査用画像情報に基づく検査用画像を前記表示部に表示させる表示ステップとを実行することを特徴とする。
本発明では、遊技機用表示装置の検査プログラム記憶部に検査用画像情報が記憶されている。そして、制御部は、画像の検査を開始する旨の制御指令を入力して該制御指令を認識する。また、制御部は、認識した制御指令に基づいて、画像検査プログラムにしたがい、プログラム記憶部から検査用画像情報を読み出し、読み出した検査用画像情報に基づく検査用画像を表示部に表示させる。
このことにより、遊技用画像情報を遊技用画像情報記憶部に記憶し検査用画像情報を検査プログラム記憶部に記憶して、遊技用画像情報および検査用画像情報の格納場所を独立させているので、遊技用画像情報を変更した場合であっても、検査用画像情報の格納アドレスが変更されず、画像検査プログラムを修正する必要がない。また、遊技用画像情報の制作と、画像検査プログラムの制作とを切り離して実施することができるので、新しい機種の遊技機を開発するにあたって、遊技用画像情報の制作が終了するのを待つことなく、画像検査プログラムを開発できる。したがって、本発明の画像検査方法によれば、画像検査プログラムを制作するにあたって、その制作が容易となる。
【０００８】
また、遊技用画像情報および検査用画像情報の格納場所を独立させているので、検査用画像情報を追加変更した場合であっても、遊技用画像情報の格納アドレスが変更されず、遊技用画像情報に基づく遊技用画像を表示部に表示させるための制御プログラムを修正する必要もない。
ところで、遊技用画像情報記憶部をＣＧＲＯＭ(Read Only Memory)等で構成し、画像検査プログラムを記憶する検査プログラム記憶部をプログラムＲＯＭ等で構成した場合には、従来では、遊技用画像情報および検査用画像情報を同一の前記ＣＧＲＯＭに記憶させているため、遊技用画像情報が異なる各機種の遊技機用表示装置の画像検査を実施する際、以下のような準備が必要となる。
先ず、各機種の前記ＣＧＲＯＭに検査用画像情報をそれぞれ記憶させる。
また、各機種で遊技用画像情報が異なるため、各機種で検査用画像情報の格納アドレスも異なることとなる。このため、各機種に応じた画像検査プログラムを制作して前記プログラムＲＯＭにそれぞれ記憶させる。
これに対して、本発明では、遊技用画像情報および検査用画像情報の格納場所を独立させているので、検査用画像情報および画像検査プログラムを記憶させた前記プログラムＲＯＭを１機種分だけ用意しておけば、前記プログラムＲＯＭを交換するだけで、各機種の遊技機用表示装置の画像検査を容易に実施することができる。
【０００９】
本発明の画像検査方法では、前記検査用画像情報は、前記検査用画像の画素数を縮小した縮小画像情報で構成され、前記表示ステップは、前記制御部が、前記縮小画像情報を拡大処理して前記検査用画像を前記表示部に表示させることが好ましい。
本発明では、検査用画像情報が検査用画像の画素数を縮小した縮小画像情報で構成される。そして、表示ステップにおいて検査用画像情報を表示部に表示させる際、制御部が、縮小画像情報を拡大処理する。このことにより、検査用画像情報の容量を縮小でき、検査プログラム記憶部の容量を大きくする必要がない。また、検査用画像情報の容量を縮小することで、検査用画像情報の伝送を円滑に実施でき、検査用画像を表示部に迅速に表示させることができる。
【００１０】
本発明の画像検査プログラムは、所定の画像を表示する表示部と、遊技用画像情報を記憶する遊技用画像情報記憶部と、前記表示部に前記遊技用画像情報に基づく遊技用画像を表示させる制御部とを備えた遊技機用表示装置の画像検査プログラムであって、上述した画像検査方法を前記遊技機用表示装置の前記制御部に実行させることを特徴とする。
本発明によれば、遊技機用表示装置の検査プログラム記憶部にインストールすることで、遊技機用表示装置の制御部に上述した画像検査方法を実行させることができ、上述した画像検査方法と同様の作用・効果を享受できるとともに、本発明の利用促進を大幅に図ることができる。
【００１１】
本発明の記録媒体は、上述した画像検査プログラムがコンピュータに読取可能に記録されていることを特徴とする。
本発明によれば、上述した画像検査方法を実行するための画像検査プログラムを記録媒体に記録させるので、上述した画像検査方法および画像検査プログラムと同様の作用・効果を享受できるとともに、プログラムの取り扱いが容易で、本発明の利用促進を大幅に図ることができる。
【発明を実施するための最良の形態】
【００１２】
以下、本発明の実施の一形態を図面に基づいて説明する。
〔パチンコ機の概略構成〕
図１は、本実施形態における遊技機としてのパチンコ機１の概略構成を示すブロック図である。
パチンコ機１は、所定の確率に設定された抽選によって「大当たり」が生じるパチンコ機であり、表示状態が変動する各種演出パターンの遊技用画像（以下、アニメーションと記載する）、およびアニメーションの表示色等を検査するための検査用画像を表示可能に構成されている。このパチンコ機１は、図１に示すように、遊技機構２と、主制御装置３と、遊技機用表示装置としての可変表示装置４等を備える。
【００１３】
遊技機構２は、図示しない遊技盤と、球打ち出し機構２１と、スタートチャッカー２２と、大入賞口（アタッカー）２３と、入賞口２４と、払出装置２５と、ランプ２６と、スピーカ２７等を備える。
前記遊技盤は、図示は省略するが、表面（遊技面）に遊技球を導く複数の釘および風車等が配設されるとともに、スタートチャッカー２２、大入賞口２３、入賞口２４、および、可変表示装置４を構成する後述する表示部を所定位置にそれぞれ配置する。
球打ち出し機構２１は、主制御装置３による制御の下、前記遊技盤の表面側に向けて遊技球を打ち出す。この球打ち出し機構２１は、例えば、回動操作可能な発射ハンドルと、前記発射ハンドルの回動角度に応じた力で遊技球を発射させる発射モータ等で構成される。そして、前記発射ハンドルから回動角度に応じた信号を主制御装置３に出力し、主制御装置３により前記発射モータが駆動制御される。
大入賞口２３は、可変表示装置４を構成する後述する表示部に表示される表示内容（当たりパターン）に連動して、主制御装置３により開放される。また、大入賞口２３は、遊技球が入賞した際に所定の信号を主制御装置３に出力する。
払出装置２５は、主制御装置３による制御の下、スタートチャッカー２２、大入賞口２３および入賞口２４に遊技球が入賞した際に、所定数の遊技球を払い出す。
ランプ２６は、主制御装置３による制御の下、遊技状態に連動して点灯および／または点滅表示する。
スピーカ２７は、主制御装置３による制御の下、遊技状態に連動して各種音声を出力する。
【００１４】
主制御装置３は、ＣＰＵ（Central Processing Unit）３１と、ＲＯＭ３２と、ＲＡＭ(Random Access Memory)３３等から構成されている。
ＲＯＭ３２は、ＣＰＵ３１で処理されるパチンコ機１全体の制御プログラムおよび各種制御データが格納されている。
ＲＡＭ３３は、ＣＰＵ３１の動作上必要なデータやプログラムを一時記憶する。
ＣＰＵ３１は、球打ち出し機構２１、スタートチャッカー２２および入賞口２４等からの信号に応じて、ＲＯＭ３２に記憶された制御プログラムにしたがって各種の処理を実行する。そして、ＣＰＵ３１は、遊技機構２の動作制御を実施する。また、ＣＰＵ３１は、制御コマンド（「所定の演出パターンのアニメーションを表示させる」旨を指示する演出開始コマンド、または、「所定の検査用画像を表示させる」旨を指示する検査開始コマンド等）を可変表示装置４に出力し、可変表示装置４に所定の演出パターンのアニメーション、または所定の検査用画像を表示させる。
【００１５】
可変表示装置４は、主制御装置３からの制御コマンドに応じて、所定の演出パターンのアニメーション、または、所定の検査用画像を表示する。この可変表示装置４は、図１に示すように、表示装置本体４１と、表示部４２とを備える。
表示装置本体４１は、主制御装置３からの制御コマンドに応じて画像信号を生成し、表示部４２に出力して、表示部４２に所定の演出パターンのアニメーション、または所定の検査用画像を表示させる。この表示装置本体４１は、図１に示すように、ＣＰＵ４１１と、ＶＤＰ(Video Display Processor)４１２と、ＲＡＭ４１３と、表示プログラムＲＯＭ４１４と、検査プログラム記憶部としての検査プログラムＲＯＭ４１５と、表示バッファ４１６と、遊技用画像情報記憶部としてのＣＧＲＯＭ４１７とを備える。そして、これらＣＰＵ４１１、ＶＤＰ４１２、ＲＡＭ４１３、表示プログラムＲＯＭ４１４、検査プログラムＲＯＭ４１５、表示バッファ４１６、およびＣＧＲＯＭ４１７は、図１に示すように、バス４１８，４１９により接続され、各構成要素４１１〜４１５間、および各構成要素４１２，４１６，４１７間で必要な情報が伝送可能なように構成されている。
【００１６】
表示プログラムＲＯＭ４１４は、表示部４２に各種演出パターンのアニメーションを表示させるための表示手順等が形成された表示プログラムを記憶する。
検査プログラムＲＯＭ４１５は、表示部４２に表示されるアニメーションの表示色等を検査するための画像検査プログラム、および、表示部４２に表示されるアニメーションの表示色等を検査するための検査用画像情報を記憶する。
検査用画像情報は、表示部４２にて表示されるアニメーションの表示色が正しく表示されるか否か、喪失した画素がないか否か等を検査するための検査用画像に関する情報である。
【００１７】
図２は、検査用画像ＥＰの一例を示す図である。
検査用画像ＥＰ１は、図２（Ａ）に示すように、全面が赤色、緑色、青色、あるいは、白色で形成された画像である。この検査用画像ＥＰ１は、例えば、表示部４２にて表示されるアニメーションに喪失した画素がないか否かを検査するために利用される。
検査用画像ＥＰ２は、図２（Ｂ）に示すように、中央部分に所定のサイズおよび白色のボックスＥＰ２１とボックスＥＰ２１を囲む黒色の枠ＥＰ２２とが形成された画像である。この検査用画像ＥＰ２は、例えば、表示部４２にて表示されるアニメーションの位置が正しく形成されるか否かを検査するために利用される。
検査用画像ＥＰ３は、図２（Ｃ）に示すように、左側から右側にかけて順に、「白ＥＰ３１」、「黄ＥＰ３２」、「シアンＥＰ３３」、「緑ＥＰ３４」、「マゼンダＥＰ３５」、「赤ＥＰ３６」、「青ＥＰ３７」、「黒ＥＰ３８」が形成された、所謂縦カラーバーである。この検査用画像ＥＰ３は、例えば、表示部４２にて表示されるアニメーションの表示色が正しく表示されるか否かを検査するために利用される。
【００１８】
検査用画像ＥＰ４は、図２（Ｄ）に示すように、下側から上側にかけて順に、「白ＥＰ４１」、「黄ＥＰ４２」、「シアンＥＰ４３」、「緑ＥＰ４４」、「マゼンダＥＰ４５」、「赤ＥＰ４６」、「青ＥＰ４７」、「黒ＥＰ４８」が形成された、所謂横カラーバーである。この検査用画像ＥＰ４は、上記検査用画像ＥＰ３と同様に、表示部４２にて表示されるアニメーションの表示色が正しく表示されるか否かを検査するために利用される。
検査用画像ＥＰ５は、図２（Ｅ）に示すように、左側から右側にかけて順に、「０」〜「９」の数字、および「Ａ」〜「Ｆ」の文字が形成された画像である。この検査用画像ＥＰ５は、例えば、表示部４２にて数字等を使うのは、検査においてＲＯＭチェックサム検査などの情報を表示するために利用される。
なお、検査用画像としては、上記検査用画像ＥＰ１〜ＥＰ５に限らず、例えば、左側から右側にかけて白から黒までが所定の階調（８階調、１６階調、３２階調）で形成された、所謂グレースケールや、１画面上に赤、緑、青の３色がそれぞれ所定の階調（１６階調、３２階調）で形成された検査用画像を採用してもよい。
【００１９】
図３ないし図６は、検査プログラムＲＯＭ４１５に記憶された検査用画像情報ＥＰＩの一例を示す図である。
複数の検査用画像情報ＥＰＩのうち所定の検査用画像情報ＥＰＩは、図３ないし図６に示すように、検査用画像ＥＰの画素数を縮小した縮小画像情報で構成される。
例えば、検査用画像ＥＰ１に対応する検査用画像情報ＥＰＩ１は、図３に示すように、検査用画像ＥＰ１が６４０×４８０の画素数であるのに対して、検査用画像ＥＰ１の色（赤、緑、青、あるいは、白）を有する１つの画素（１×１の画素数）に縮小された縮小画像情報で構成される。
また、例えば、検査用画像ＥＰ２に対応する検査用画像情報ＥＰＩ２は、図４に示すように、検査用画像ＥＰ２が６４０×４８０の画素数であるのに対して、中央部分に白色の４つの画素ＥＰＩ２１と、該４つの画素を囲む黒色の１２個の画素ＥＰＩ２２とで４×４の画素数に縮小された縮小画像情報で構成される。
さらに、例えば、検査用画像ＥＰ３に対応する検査用画像情報ＥＰＩ３は、図５に示すように、検査用画像ＥＰ３が６４０×４８０の画素数で構成されているのに対して、検査用画像ＥＰ３の各色（左側から右側にかけて「白ＥＰ３１」、「黄ＥＰ３２」、「シアンＥＰ３３」、「緑ＥＰ３４」、「マゼンダＥＰ３５」、「赤ＥＰ３６」、「青ＥＰ３７」、「黒ＥＰ３８」）を有する各画素ＥＰＩ３１〜ＥＰＩ３８の８×１の画素数に縮小された縮小画像情報で構成される。
さらにまた、例えば、検査用画像ＥＰ４に対応する検査用画像情報ＥＰＩ４は、図６に示すように、上記検査用画像情報ＥＰＩ３と同様に、検査用画像ＥＰ４の各色（下側から上側にかけて白ＥＰ４１」、「黄ＥＰ４２」、「シアンＥＰ４３」、「緑ＥＰ４４」、「マゼンダＥＰ４５」、「赤ＥＰ４６」、「青ＥＰ４７」、「黒ＥＰ４８」）を有する各画素ＥＰＩ４１〜ＥＰＩ４８の１×８の画素数に縮小された縮小画像情報で構成される。
なお、図３ないし図６では、検査用画像ＥＰの画素数を６４０×４８０として説明したが、これに限らず、その他の画素数で構成しても構わない。
【００２０】
ＲＡＭ４１３は、ＣＰＵ４１１の動作上必要なデータやプログラムを一時記憶する。
ＣＧＲＯＭ４１７は、図示しない左リール、中央リール、および右リールの３つのリールに表示させる文字や絵柄等のキャラクタ画像や背景画像等に関する複数の遊技用画像情報を記憶する。
表示バッファ４１６は、各種アニメーションを表示させるための画像信号の生成に際してＶＤＰ４１２によって遊技用画像情報に基づくアニメーションが仮想的に描画されるメモリである。
図７は、表示バッファ４１６の構成の一例を示す模式図である。
表示バッファ４１６は、図７に示すように、テンポラリ画像領域４１６Ａと、２つのスクリーンバッファ４１６Ｂ，４１６Ｃとで構成される。
テンポラリ画像領域４１６Ａは、ＣＧＲＯＭ４１７から読み出された遊技用画像情報、または、検査プログラムＲＯＭ４１５から読み出された検査用画像情報を一時的に保持する。
スクリーンバッファ４１６Ｂ，４１６Ｃは、テンポラリ画像領域４１６Ａに一時的に保持された遊技用画像情報または検査用画像情報に基づいて仮想的に描画処理されたアニメーションまたは検査用画像を保持する。
【００２１】
ＣＰＵ４１１は、主制御装置３から出力される制御コマンドを認識して、表示プログラムＲＯＭ４１４に記憶された表示プログラム、または検査プログラムＲＯＭ４１５に記憶された画像検査プログラムにしたがって、ＣＧＲＯＭ４１７に記憶された遊技用画像情報、または検査プログラムＲＯＭ４１５に記憶された検査用画像情報を読み出して、ＶＤＰ４１２の後述する転送バッファを介して、表示バッファ４１６のテンポラリ画像領域４１６Ａに転送する。また、このＣＰＵ４１１は、認識した制御コマンドに応じた表示指示信号（表示位置、拡大率等）をＶＤＰ４１２に出力する。
ＶＤＰ４１２は、ＣＰＵ４１１から出力された表示指示信号を認識して、表示バッファ４１６のテンポラリ画像領域４１６Ａに保持された遊技用画像情報または検査用画像情報を、表示バッファ４１６のスクリーンバッファ４１６Ｂ，４１６Ｃに仮想的に描画することにより、アニメーションまたは検査用画像に基づく画像信号を生成して表示部４２に出力する。このＶＤＰ４１２は、図１に示すように、転送バッファ４１２Ａを備えており、検査プログラムＲＯＭ４１５から読み出された検査用画像情報は、転送バッファ４１２Ａを介して、表示バッファ４１６に転送される。
そして、ＣＰＵ４１１およびＶＤＰ４１２が本発明に係る制御部に相当する。
【００２２】
表示部４２は、画像をカラー表示可能な液晶パネルおよびバックライトを備えて構成され、ＶＤＰ４１２からの画像信号に基づいて、アニメーションまたは検査用画像を表示する。なお、表示部４２としては、液晶パネルおよびバックライトに限らず、画像をカラー表示可能な構成であればいずれの構成であってもよく、例えば、有機ＥＬ(Electro Luminescence)素子等を採用してもよい。
【００２３】
〔可変表示装置の画像検査方法〕
次に、上述した可変表示装置４の画像検査方法を説明する。
なお、以下では、パチンコ機１の動作のうち、可変表示装置４の画像検査方法を主に説明し、その他の動作については、適宜、省略して説明する。
図８は、可変表示装置４の画像検査方法を説明するためのフローチャートである。
可変表示装置４のＣＰＵ４１１は、主制御装置３から制御コマンドが出力されたか否かを常時監視する（ステップＳ１）。
また、可変表示装置４は、ステップＳ１において、従前に主制御装置３から所定の演出開始コマンドが出力され、所定のアニメーションを表示している場合には、主制御装置３から新規の制御コマンドが出力されるまで、前記所定のアニメーションを繰り返し表示する。
【００２４】
例えば、非遊技状態（遊技者が存在しない状態）の場合には、主制御装置３から「パチンコ機１の電源投入時に表示させるアニメーションとして予め規定されているデモンストレーション用の演出パターンであるアニメーション（以下、デモ用アニメと記載する）を表示させる」旨を指示する演出開始コマンドが可変表示装置４に出力される。そして、可変表示装置４は、前記演出開始コマンドを認識し、表示プログラムＲＯＭ４１４に記憶された表示プログラムにしたがって、ＣＧＲＯＭ４１７から所定の遊技用画像情報を読み出して表示バッファ４１６に描画処理し、デモ用アニメを表示部４２に表示させる。そして、可変表示装置４は、ステップＳ１において、主制御装置３から新規の制御コマンドが出力されるまで繰り返しデモ用アニメを表示部４２に表示させる。
【００２５】
また、例えば、遊技状態において、スタートチャッカー２２に遊技球が入賞し、スタートチャッカー２２から所定の信号が主制御装置３に出力されると、主制御装置３のＣＰＵ３１は、大当たり抽選を実施し、抽選結果に応じて、「所定の演出パターン（当たりパターンまたははずれパターン等）のアニメーションを表示させる」旨を指示する演出開始コマンドを可変表示装置４に出力する。そして、可変表示装置４は、上記同様に、前記演出開始コマンドを認識し、表示プログラムＲＯＭ４１４に記憶された表示プログラムにしたがって、ＣＧＲＯＭ４１７から所定の遊技用画像情報を読み出して表示バッファ４１６に描画処理し、当たりパターンまたははずれパターン等のアニメーションを表示部４２に表示させる。そして、可変表示装置４は、ステップＳ１において、主制御装置３から新規の制御コマンドが出力されるまで繰り返し前記アニメーションを表示部４２に表示させる。
【００２６】
ステップＳ１において、可変表示装置４は、主制御装置３から新規の制御コマンドが出力されたと認識した場合には、前記制御コマンドが演出開始コマンドであるか否かを判定する（ステップＳ２）。
ステップＳ２において、可変表示装置４は、「Ｙ」と判定した場合、すなわち、主制御装置３からの新規の制御コマンドが演出開始コマンドであると判定した場合には、前記演出開始コマンドを認識して前記演出開始コマンドに応じた新規の演出パターンのアニメーションを表示部４２に表示させる（ステップＳ３）。そして、ステップＳ１に戻り、主制御装置３から新規の制御コマンドが出力されるまで繰り返し前記新規のアニメーションを表示部４２に表示させる。
【００２７】
一方、ステップＳ２において、可変表示装置４は、「Ｎ」と判定した場合、すなわち、主制御装置３からの新規の制御コマンドが演出開始コマンドでないと判定した場合には、前記制御コマンドが検査開始コマンドであるか否かを判定する（ステップＳ４）。
ステップＳ４において、可変表示装置４は、「Ｎ」と判定した場合、すなわち、主制御装置３からの新規の制御コマンドが検査開始コマンドでないと判定した場合には、ステップＳ１に再度、移行する。主制御装置３から出力される制御コマンドは、演出開始コマンドおよび検査開始コマンド以外に種々の制御コマンドが存在する。本実施形態では、上述したように、可変表示装置４の画像検査方法を主に説明し、演出開始コマンドおよび検査開始コマンド以外の制御コマンドに応じた動作については、省略する。
【００２８】
一方、ステップＳ４において、可変表示装置４は、「Ｙ」と判定した場合、すなわち、主制御装置３からの新規の制御コマンドが検査開始コマンドであると判定した場合には、前記検査開始コマンドを認識する（ステップＳ５：入力ステップ）。
ステップＳ５の後、可変表示装置４のＣＰＵ４１１は、検査プログラムＲＯＭ４１５に記憶された画像検査プログラムにしたがって、検査プログラムＲＯＭ４１５から上記入力ステップＳ５にて認識した検査開始コマンドに応じた検査用画像情報を読み出し、読み出した検査用画像情報を、ＶＤＰ４１２の転送バッファ４１２Ａに転送し（ステップＳ６）、さらに、表示バッファ４１６のテンポラリ画像領域４１６Ａに転送する（ステップＳ７）。なお、本発明に係る画像情報読出ステップは、上記ステップＳ６および上記ステップＳ７に相当する。
また、ＣＰＵ４１１は、上記入力ステップＳ５にて認識した検査開始コマンドに応じた表示指示信号をＶＤＰ４１２に出力する。
【００２９】
ステップＳ７の後、ＶＤＰ４１２は、ＣＰＵ４１１からの表示指示信号に基づいて、テンポラリ画像領域４１６Ａに保持された検査用画像情報を所定の画素数を有する検査用画像に拡大処理し、該検査用画像を所定の表示位置となるようにスクリーンバッファ４１６Ｂ，４１６Ｃに仮想的に描画する（ステップＳ８）。そして、ＶＤＰ４１２は、検査用画像に基づく画像信号を生成して表示部４２に出力する。表示部４２は、ＶＤＰ４１２からの画像信号に基づいて、検査用画像をカラー表示する（ステップＳ９）。なお、本発明に係る表示ステップは、上記ステップＳ８および上記ステップＳ９に相当する。
そして、作業者は、表示部４２に表示された検査用画像を例えば目視にて確認することで、表示部４２に表示されるアニメーションの表示色等を検査する。
【００３０】
以上説明したように、本実施形態では、遊技用画像情報をＣＧＲＯＭ４１７に記憶し検査用画像情報ＥＰＩを検査プログラムＲＯＭ４１５に記憶して、遊技用画像情報および検査用画像情報ＥＰＩの格納場所を独立させているので、遊技用画像情報を修正または変更した場合であっても、検査用画像情報ＥＰＩの格納アドレスが変更されず、画像検査プログラムを修正する必要がない。また、遊技用画像情報の制作と、画像検査プログラムの制作とを切り離して実施することができるので、新しい機種のパチンコ機１を開発するにあたって、遊技用画像情報の制作が終了するのを待つことなく、画像検査プログラムを開発できる。したがって、本実施形態における画像検査方法によれば、画像検査プログラムを制作するにあたって、その制作が容易となる。
【００３１】
また、遊技用画像情報および検査用画像情報ＥＰＩの格納場所を独立させているので、検査用画像情報ＥＰＩを追加変更した場合であっても、遊技用画像情報の格納アドレスが変更されず、遊技用画像情報に基づく遊技用画像を表示部に表示させるための表示プログラムを修正する必要もない。
さらに、検査用画像情報ＥＰＩおよび画像検査プログラムが検査プログラムＲＯＭ４１５に記憶されているので、検査プログラムＲＯＭ４１５を１機種分だけ用意しておけば、検査プログラムＲＯＭ４１５を交換するだけで、遊技用画像情報が異なる各機種のパチンコ機１を構成する各可変表示装置４の画像検査を容易に実施することができる。
【００３２】
ここで、複数の検査用画像情報ＥＰＩのうち、検査用画像情報ＥＰＩ１〜ＥＰＩ４は、検査用画像ＥＰ１〜ＥＰ４の画素数を縮小した縮小画像情報で構成されているので、検査用画像情報ＥＰＩの容量を縮小でき、検査プログラムＲＯＭ４１５の容量を大きくする必要がない。また、検査用画像情報ＥＰＩの容量を縮小することで、検査用画像情報ＥＰＩのバス４１８，４１９でのデータ伝送を円滑に実施でき、検査用画像ＥＰを表示部４２に迅速に表示させることができる。
【００３３】
なお、本発明は前述の実施形態に限定されるものではなく、本発明の目的を達成できる範囲での変形、改良等は本発明に含まれるものである。
前記実施形態では、遊技機としてパチンコ機１を採用し、該パチンコ機１における可変表示装置４の画像検査を説明したが、これに限らず、例えば、パチスロ機や他の遊技機の可変表示装置の画像検査に本発明を採用してもよい。
前記実施形態では、画像検査プログラムは、検査プログラムＲＯＭ４１５に記憶される構成を説明したが、これに限らず、可変表示装置４に接続可能に構成され、可変表示装置４の表示装置本体４１にて読み込み可能な記録媒体に格納される構成であってもよい。このように構成した場合には、画像検査プログラムの配布を容易に実施することができる。また、インターネット等に接続して、画像検査プログラムを配布するような構成としても、同様である。
【産業上の利用可能性】
【００３４】
本発明の画像検査方法は、画像検査プログラムを制作するにあたって、その制作が容易となるため、遊技機用表示装置の画像検査方法として利用できる。
【図面の簡単な説明】
【００３５】
【図１】本実施形態における遊技機としてのパチンコ機の概略構成を示すブロック図。
【図２】前記実施形態における検査用画像の一例を示す図。
【図３】前記実施形態における検査プログラムＲＯＭに記憶された検査用画像情報の一例を示す図。
【図４】前記実施形態における検査プログラムＲＯＭに記憶された検査用画像情報の一例を示す図。
【図５】前記実施形態における検査プログラムＲＯＭに記憶された検査用画像情報の一例を示す図。
【図６】前記実施形態における検査プログラムＲＯＭに記憶された検査用画像情報の一例を示す図。
【図７】前記実施形態における表示バッファの構成の一例を示す模式図。
【図８】前記実施形態における可変表示装置の画像検査方法を説明するためのフローチャート。
【符号の説明】
【００３６】
１・・・パチンコ機（遊技機）、４・・・可変表示装置（遊技機用表示装置）、４２・・・表示部、４１１・・・ＣＰＵ（制御部）、４１２・・・ＶＤＰ（制御部）、４１５・・・検査プログラムＲＯＭ（検査プログラム記憶部）、４１７・・・ＣＧＲＯＭ（遊技用画像情報記憶部）、ＥＰ・・・検査用画像、ＥＰＩ・・・検査用画像情報、Ｓ５・・・入力ステップ、Ｓ６，Ｓ７・・・画像情報読出ステップ、Ｓ８，Ｓ９・・・表示ステップ。
【図１】
2006167092.tif 000003
【図２】
2006167092.tif 000004
【図３】
2006167092.tif 000005
【図４】
2006167092.tif 000006
【図５】
2006167092.tif 000007
【図６】
2006167092.tif 000008
【図７】
2006167092.tif 000009
【図８】
2006167092.tif 000010